(57)【要約】【課題】トラックやダンプカー等のタイヤに付着した土や泥を、作業現場から出る前に洗い落とす為の洗浄装置の提供。【解決手段】水１を満たしているプール底の両側には複数のＬ型鋼材７，７・・から成る凸部を配列し、入口側と出口側には底板４と側板上縁を連結する傾斜板９，９・・を設けている。プール内を車両が移動することで、タイヤ１１，１１・・はＬ型鋼材７，７・・・に載って転がることで局部的に変形し、タイヤ溝に嵌っている土や泥が落下する。【選択図】        図１
2004237913.tif 000002
【特許請求の範囲】
【請求項１】
トラックやダンプカー等のタイヤに付着した土や泥を洗い落とす為のタイヤ洗浄装置において、水を満たしているプール底の両側には複数の凸部を配列し、入口側と出口側には底板と側板上縁を連結する傾斜板を設け、該プール内を車両が移動することで、移動に伴ってタイヤが凸部に載って転がることで局部的に変形し、該タイヤ溝に嵌っている土や泥が落下するようにしたことを特徴とするタイヤ洗浄装置。
【請求項２】
上記プール内の水を抜き取って、水に混入している土や泥を沈殿する水槽を備えた請求項１記載のタイヤ洗浄装置。
【請求項３】
上記凸部としてＬ型鋼材を用いた請求項１、又は請求項２記載のタイヤ洗浄装置。
【発明の詳細な説明】
【０００１】
【発明の属する技術分野】
本発明は土や泥が付着したタイヤを効率よく洗浄する為のタイヤ洗浄装置に関するものである。
【０００２】
【従来の技術】
トラックやダンプカーは土木建設現場を出入りして土砂を運搬する為に使用される。このような作業現場へトラックやダンプカーが進入することで、タイヤには土や泥が付着し、タイヤ表面のみならずタイヤ溝に嵌り込んでしまう。そして、このままの状態で現場から出て一般道路を走行するならば、タイヤに付着した土や泥はタイヤの回転と共に落下して路面は泥だらけになってしまう。
【０００３】
これら路面に落下した土や泥は他の一般車両に付着して汚れ、乾燥して道路脇に堆積した土や泥は車両が通過する度に巻き上がって周囲の空気が汚れ、運転者や歩行者の健康までも害されることになる。そこで、上記土木建設現場から出る前にトラックやダンプカーは、そのタイヤに付着した土や泥を洗浄しなくてはならない。
【０００４】
従来では、水を高速噴射するジェットガンが使用されているが、作業者又は運転者自らが現場を出る前に、ジェットガンを用いてタイヤに付着した土や泥を洗い落とす作業は面倒である。しかも、タイヤに水を高速噴射しても単なる外表面に付着した土や泥が落ちるに過ぎず、タイヤ溝に嵌り込んだ土や泥を除去することは容易でない。そして、多くのタイヤを重ね合わせて装着したトラックやダンプカーの場合、タイヤ内側に付着している土や泥は洗浄し難く、その為にタイヤを回転して位置を変える為に車両を動かすことが必要となる。
【０００５】
その為に作業性は悪くなり、土砂の運搬に支障を来たすことになり、ひいては運搬される土砂のコストに影響する。そこで、作業者がジェットガンを用いて水を高速噴射するのではなく、架台にトラックやダンプカーを載せて、該架台に取付けたノズルから水を高速噴射する洗浄装置も知られている。この装置では、タイヤが載る位置にローラが設けられ、該ローラの回転によってタイヤが回転しながら水が高速噴射して土や泥が洗浄される。
【０００６】
従って、特別に作業者は不要となり、運転者自らが洗浄装置を操作することでタイヤに付着した土や泥を洗い落とすことが出来る為に作業性は良く、土砂の運搬に支障を来たすこともない。しかし、タイヤが載って回転する為の丈夫なローラを備え、数多くの噴射ノズルを有している為に、該洗浄装置は製作コストは非常に高くなり、このコストが土砂の運搬費に跳ね返る。
【０００７】
【発明が解決しようとする課題】
このように、トラックやダンプカーのタイヤに付着した土や泥を洗い落とす装置及び洗浄方法には上記のごとき問題がある。本発明が解決しようとする課題はこの問題点であって、１つは洗浄装置の構造がシンプルで制作費が安く、２つはタイヤに付着した土や泥を効率よく洗い落とすことが出来るタイヤ洗浄装置を提供する。
【０００８】
【課題を解決する為の手段】
本発明のタイヤ洗浄装置はトラックやダンプカーが載る架台を有し、該架台上にはプールを形成している。このプールには水が満たされていて、プールに入ったトラックやダンプカーのタイヤは該水によって洗い落とされる。ただし、水が満たされているプールにタイヤが漬かっても表面に付着した土や泥は洗い落とされるが、タイヤ溝に嵌った土や泥は落ちない。
【０００９】
そこで、本発明ではプールの底面に多数の凸部を設け、該凸部にタイヤが載ることで溝が変形・拡大して土や泥は落下する。凸部はタイヤ溝が変形するような形状であることが必要であり、例えば、先が尖った三角形断面又は概略円錐や概略角錐の凸部を配置することが出来る。しかし、タイヤが載ることで該タイヤにキズが付くような凸部形状であってはならない。以下、本発明に係る実施例を図面に基づいて詳細に説明する。
【００１０】
【実施例】
図１、図２は本発明に係るタイヤ洗浄装置を示す実施例であり、図１は平面図、図２（ａ）、（ｂ）は図１のＡ−Ａ断面図、Ｂ−Ｂ断面図を夫々表している。このタイヤ洗浄装置は所定の深さまで水１を満たしているプール２を有し、プール２は架台３に載って取付けられ、トラックやダンプカーが該プール２に入ることでタイヤに付着している土や泥を洗い落とすことが出来る。
【００１１】
該タイヤ洗浄装置は長方形の底板４の縦横辺に側板５，５，６，６を垂直に起立してプール２が構成され、該底板４の長辺に沿った両側には複数のＬ型鋼材７，７・・が配置され、該Ｌ型鋼材７の両片８，８を傾斜面として配列している。このように配列したＬ型鋼材７，７・・は先端が山形を成して尖り、これにタイヤが載るならば局部的に圧縮変形してタイヤ溝が拡大し、タイヤ溝に嵌っている土や泥はプール２の水１によって洗い落とされる。上記Ｌ型鋼材７は凸部の１形態に過ぎず、他の部材を用いることは自由である。
【００１２】
しかし、タイヤが載った場合に局部的に変形することが出来るように、先端がある程度尖っていることが必要であるが、タイヤがキズ付いたりするような形状であってはならない。上記Ｌ型鋼材７，７・・はタイヤが載ることが出来るように両側に設けられ、プール２の前後には出入りする傾斜板９，９が取着され、底板４と側板６，６の上縁を連結している。そして該傾斜板９．９にはタイヤがスリップしないように縞鋼板が使用することが出来る。
【００１３】
図３に示すように、トラック及びダンプカーは入口側の傾斜板９を通過して水１が満ちているプール２に入り、プール底に配列しているＬ型鋼材７，７・・に載ってタイヤ１１，１１・・が転動することにより、該タイヤ１１，１１・・は局部的に変形し、この変形に伴うタイヤ溝の拡大によって嵌っている土や泥が洗い落とされる。本発明のタイヤ洗浄装置Ａの前後には入口側傾斜部材Ｂと出口側傾斜部材Ｃが配置され、トラックやダンプカーの出入りを助けている。
【００１４】
このように土や泥が付着したタイヤ１１，１１・・が転がって洗い落とされることで、該プール底には土及び泥が堆積する。そこでプール２から水１を土や泥と共に抜き取り、該水１に含まれている土や泥を除去しなくてはならない。プール２の底板４には出口１０，１０が設けられ、この出口１０から水１が導き出される。そして、該水１は水槽へ入れて、含まれている土や泥を沈殿させる。
【００１５】
水槽１２は図３に示しているように、３槽に区分され、排水パイプ１９から流入して第１槽１３に入った水１は混入している土や泥が沈殿して底１６ａに溜まる。本発明の洗浄装置のプール２の水１には凝固剤が混入されていて、第１槽１３に入った土や泥は直ちに底１６ａに沈殿することが出来、水１だけが第２槽１４へ仕切り１７ａを越えて流れ入る。さらに第２槽１４の底１６ｂにも土や泥が沈殿し、仕切り１７ｂを超えて流れ入る水１には土や泥の混入は殆どなく、第３槽１５には土や泥を含まない水１だけが流れ入ることが出来る。
【００１６】
そして、第３槽１５の水１は供給パイプ１８を流れて再びプール２へ供給されてタイヤ１１の土や泥を洗い落とすことが出来る。プール底の出口１０に連結している排水パイプ１９は水槽１２の第１槽１３に導かれ、第３槽１５に連結している供給パイプ１８はプール２の側板５に設けている入口２０に繋がっている。この水１の循環はポンプ（図示なし）を稼動して行われる。
【００１７】
以上述べたように、本発明のタイヤ洗浄装置はプール底に複数の凸部を配列し、プール内に満たした水は循環して土や泥を除去する水槽を備えたものであり、次のような効果を得ることが出来る。
【００１８】
【発明の効果】
本発明に係るタイヤ洗浄装置は、水を満したプール底に凸部を配列したものであり、トラックやダンプカーは該プールに進入して移動するだけでタイヤ表面に付着している土や泥、及びタイヤ溝に嵌っている土や泥を洗い落とすことが出来る。プール底に設けている凸部にタイヤが載ることで、該タイヤは局部的に変形し、該変形に伴ってタイヤ溝が拡大する為に、嵌っている土や泥が落下する。
【００１９】
プール底に設けている凸部は両側にある程度の長さにわたって配列されている為に、トラックやダンプカーの移動によってタイヤは回転し、回転と共に凸部に全周が順次当たって、タイヤ溝の土や泥は全て落ち、従来のようなジェットノズルからの水を噴射する必要はなく、単にプール内を移動するだけでよい。従って、土や泥の洗浄に要する時間はきわめて短くなる。
【００２０】
そして、プール内の水は水槽との間を循環し、水槽内に土や泥が沈殿して水は再利用される為に水の無駄使いもなくなる。さらに水には凝固剤を混入することで、水槽の底に土や泥が直ちに沈殿することが出来、該土や泥の除去を効率よく行い得る。
【図面の簡単な説明】
【図１】本発明に係るタイヤ洗浄装置の平面図。
【図２】本発明のタイヤ洗浄装置の断面図。
【図３】プールをダンプカーが通過する場合。
【図４】プールと連通する水槽の具体例。
【符号の説明】
１  水
２  プール
３  架台
４  底板
５  側板
６  側板
７  Ｌ型鋼材
８  片
９  傾斜板
１０  出口
１１  タイヤ
１２  水槽
１３  第１槽
１４  第２槽
１５  第３槽
１６  底
１７  仕切り
１８  供給パイプ
１９  排水パイプ
２０  入口
【図１】
2004237913.tif 000003
【図２】
2004237913.tif 000004
【図３】
2004237913.tif 000005
【図４】
2004237913.tif 000006